(57)【要約】【課題】生体電気インピーダンス測定から体脂肪率のような指標を算出する装置において、体重を用いることなく簡単に、かつ精度よく生体電気インピーダンス測定から生体の指標を算出することができる装置を提供すること。【解決手段】本発明では、測定部位に密着するようにカフ内に一定圧の空気を流入することで測定部位の体積を実際に測定し、その値を用いて生体電気インピーダンス値とから生体の指標を算出する構成とする。従来の体脂肪計のように体積の代わりに体重値を用いることはなくなり、算出される生体の指標は正確なものとなる。【選択図】  図４
2005137654.tif 000002
【特許請求の範囲】
【請求項１】
被験者の測定部位を挿入するカフと、
被験者の測定部位の生体電気インピーダンスを測定する生体電気インピーダンス測定手段と、
前記カフに設けられた被験者の測定部位の体積を測定する体積測定手段と、
測定された生体電気インピーダンスと体積から、被験者の生体指標を算出することを特徴とする生体測定装置。
【請求項２】
前記体積測定手段は測定部位に密着するよう気体を流入する加圧手段と、その気体の圧力を検出する圧力検出手段から構成されていることを特徴とする請求項１に記載の生体測定装置。
【請求項３】
前記カフに生体電気インピーダンス測定手段の電極が備えられていることを特徴とする請求項１に記載の生体測定装置。
【発明の詳細な説明】
【技術分野】
【０００１】
本発明は、生体のインピーダンスを測定する装置に関するものであり、詳しくは、生体インピーダンス測定を簡易に、かつ正確に行うことができる装置に関するものである。
【背景技術】
【０００２】
生体電気インピーダンス測定法（bioelectrical impedance analysis：ＢＩＡ）により被験者の生体電気インピーダンスを測定し、その値と測定部位間の長さや周径囲といった情報から、測定部位の体組成を判定することが行われている。その一つに体脂肪計と呼ばれる被験者の体脂肪を測定する装置として体重計と一体型のものがある。これは、生体電気インピーダンス値から被験者の体脂肪を算出する場合、測定したインピーダンス値に加えて体重値を用いるためである。
【０００３】
また、両手間の生体電気インピーダンス測定を行う装置や両手と両足間の測定から体脂肪率のような身体の指標を算出する装置もある。
【０００４】
また、巻帯を用いて測定部位の周長を測定し、その値と電極間の距離及び測定されたインピーダンス値から体脂肪率を演算する体脂肪測定器が開示されている（例えば特許文献１）。
【０００５】
あるいは、最も簡単な体脂肪の測定法としてキャリパー法がある。これは特定の部位の皮下脂肪を摘み、その厚さをキャリパーと呼ばれる道具を用いて測定するものである。
【０００６】
【特許文献１】特開平６−１１４０２３号公報
【発明の開示】
【発明が解決しようとする課題】
【０００７】
従来の体脂肪計においては、体脂肪率の算出に体重を用いるため、体重計が一体となっているか、体重値を入力項目として事前に入力していた。体重計が一体のものでは、装置が大きくなってしまい、体重値を入力する装置では別途、体重の測定が必要であったり、誤入力の恐れもあった。
【０００８】
また、両手間や両足間のインピーダンス測定から体脂肪率を算出する装置では、四肢が健康な健常者であれば問題なく測定できるが、手足の一部が骨折している、あるいは切断してしまったような身障者では測定することが出来なかった。
【０００９】
また、このような体脂肪計では人体を円筒形として捉え、身長と体重から円筒形の体積を推定しているが、必ずしも正確に推定できているものではない。
【００１０】
また、特開平６−１１４０２３号公報に記載のものは、巻帯に設けられた目盛りを用いて目視により測定部位の周長を求めるとしているが、巻帯を測定部位に巻きつける際の力が一定の強さとはならず、正確な周長を求めることが難しい。また、目視により読み取った値を装置に入力するため面倒なものである。
【００１１】
あるいは、体脂肪測定を簡単に行う方法としてキャリパー法があるが、この方法では測定者が熟練している必要があり、更には皮下脂肪が厚い被験者ほど測定値がばらつき、また減量による体脂肪の変化が皮脂厚に現れ難いという問題があった。また、この方法では研究対象が２０代という比較的若い年代の被験者から得られたデータを解析し、その結果を適用して測定値からの判定に用いているものであるため、測定者が中高年で体脂肪の分布が若者と異なって腹部に多くついているような場合、判定が大きく外れてしまうことがある。
【００１２】
本発明はこれらの問題に鑑みてなされるものであり、生体電気インピーダンス測定から体脂肪率のような生体の指標を算出する装置において、体重を用いることなく簡単に、かつ精度よく生体の指標を算出することができる装置を提供することである。
【課題を解決するための手段】
【００１３】
本発明の生体測定装置では、被験者の測定部位を挿入するカフと、
被験者の測定部位の生体電気インピーダンスを測定する生体電気インピーダンス測定手段と、
前記カフに設けられた被験者の測定部位の体積を測定する体積測定手段と、
測定された生体電気インピーダンスと体積から、被験者の生体指標を算出することとする。
【００１４】
また、本発明の生体測定装置では、前記体積測定手段は測定部位に密着するよう気体を流入する加圧手段と、その気体の圧力を検出する圧力検出手段から構成されていることとする。
【００１５】
また、本発明の生体測定装置では、前記カフに生体電気インピーダンス測定手段の電極が備えられていることとする。
【発明の効果】
【００１６】
本発明の生体測定装置であれば、カフを用いて測定部位の体積を算出し、その値と生体電気インピーダンス値とから生体の指標を算出する構成なので、従来の一般的な体脂肪計のように体積の代わりに体重値を用いて体脂肪の指標を算出することはなくなり、実際に測定された体積と長さ及びインピーダンス値を用いて算出される生体の指標は正確なものとなる。
【００１７】
また、本発明の生体測定装置であれば、カフ内に空気を流入して測定部位に密着させた状態とし、流入した空気量から測定部位の体積を算出するので、測定部位が湾曲していても正確に体積を算出することができ、その値と生体電気インピーダンス値とを用いて算出される生体の指標もより正確な値となる。
【００１８】
また、本発明の生体測定装置であれば、カフの表面に生体電気インピーダンス測定用の電極が配置されているので、被験者はカフ内に測定部位を挿入し、測定を開始するだけで生体の指標が算出されるものとなり、面倒な身長や体重の設定も必要なく、使い易いものとなる。
【００１９】
また、本発明の生体測定装置であれば、腕や脚の負傷者や切除した身障者にも利用可能であり、また、健常者であっても上腕や腿といった特定の部位だけの生体指標を算出することが可能である。
【００２０】
或いは本発明の生体測定装置であれば、被験体が犬や猫などの動物であっても、それらを覆うことが可能な程度の大きさに構成すれば、生体電気インピーダンスの測定は可能であり有用なものとなる。
【発明を実施するための最良の形態】
【００２１】
本発明の測定原理を図面を用いて説明する。
【００２２】
図１は、従来のＢＩＡモデルを表す図であるが、生体の部位は電解質である筋肉の周りを非電解質の脂肪が覆っていると仮定される。これは電解質を多く含む体水分が占める割合の高い筋肉は電気を流しやすく、電解質を殆ど含まない脂肪は絶縁体として考えられる。
【００２３】
ある電解質に微弱な交流電流を流したときの抵抗率をρ、電解質の長さをＬ、電解質の断面積をＡとし電解質溶液のインピーダンスをＺとすると、
Ｚ＝ρＬ／Ａ
Ｖ＝ρＬ２／Ｚ
【００２４】
この上記２つの式の関係については後述するが、電解質の体積Ｖは、電解質の抵抗率ρと長さＬとインピーダンスＺと関係することを意味しており、次式のように表せる。
ρ＝ＶＺ／Ｌ２
【００２５】
つまり、測定部位の抵抗率ρは測定部位の長さＬとインピーダンスＺ及び体積Ｖが解れば算出することが可能である。この抵抗率ρから体脂肪率％ＦＡＴを算出することが可能となる。
【００２６】
しかし、一般に普及している生体電気インピーダンスを測定して体脂肪率を算出する装置では、この関係を利用して体脂肪率の算出を行ってはいるが、人体の体積は簡単に測定できるものではなく、その値を算出に利用することが困難な為、体積Ｖを体重Ｗに置き換えて考え、体重Ｗを用いることで体脂肪率の算出を行っているのが現状である。
【００２７】
つまり、従来の体脂肪測定の考え方は、測定部位の細かな湾曲や凹凸は無視され、その部位あるいは全身を１つの円筒形として考えた測定法であり、更に測定部位の体積を用いることなく、体重を代用して算出しているものであった。
【００２８】
ところで、実際の生体内における脂肪は図１に示した筋肉層の内部に円筒形のように分布しているものではなく、筋肉に複雑に分散して絡み合うように存在している。ここで生体モデルを図２のように脂肪組織と筋肉組織の混合モデルを単一物質とみなして考える。
【００２９】
被測定部の抵抗率をρ、体積をＶ、インピーダンス測定距離をＬ、インピーダンスをＺとすると、前述のように次式で表される。
ρ＝ＶＺ／Ｌ２
【００３０】
これは、ある体積ＶのインピーダンスＺが解れば抵抗率ρが解るものであるとしたが、脂肪組織の抵抗率と筋肉組織の抵抗率とは異なることを考慮すると、その体積における脂肪組織と筋肉組織の混合比が解るものである。
【００３１】
本発明はこの原理を応用して、被測定部位の体積を測定し、測定部位の生体電気インピーダンスと体積及び生体電気インピーダンスを測定した際の測定部位の長さから抵抗率を算出し、抵抗率と体脂肪との関係を示す回帰式を用いることにより測定部位の体脂肪率を算出することとする。
【００３２】
尚、実際には、上記のように抵抗率で求めた体脂肪率は脂肪の体積の比率（以下、体積％ＦＡＴとする）となるため、より一般的な体脂肪率（重量％ＦＡＴ）を求めるには、下記のように重量％に変換することができる。
【００３３】
重量％ＦＡＴ＝脂肪の密度×脂肪の体積％ＦＡＴ／｛脂肪の密度×
脂肪の体積％ＦＡＴ＋除脂肪の密度×（１−脂肪の体積％ＦＡＴ）｝
（但し、脂肪の密度０．９００７、除脂肪の密度１．１００）
【００３４】
以上のような原理により、本発明では体脂肪を測定、算出する。
【実施例１】
【００３５】
本発明の一実施例を説明する。図３は本発明を用いた体脂肪測定装置１の外観図である。この体脂肪測定装置１は、主に操作及び表示を行う操作部２と測定を行う測定部３からなる。
【００３６】
操作部２と測定部３はチューブ４で繋がれており、そのチューブ４内には後述する複数のエアチューブやコードが存在する。操作部２には電源スイッチ５、測定スイッチ６、表示装置７が設けられている。また、測定部３の内側にはカフ８が設けられている。このカフ８はその内部に空気袋（加圧フィルム）が覆うように設けられ、血圧計におけるカフと同様に、空気の流入により測定部位に密着することができるものである。また、図には示さないが、測定部３の内部にあるカフ８の表面の測定部位を挿入する入口と出口の両端に交流電流印加電極Ａ，Ｂがそれぞれ設けられ、更にそれらの内側に電位測定電極Ｃ，Ｄが設けられている。
【００３７】
図４は体脂肪測定装置１の内部構成を示すブロック図である。図４に示すように、体脂肪測定装置１は大きく分けて３個のブロックからなる。
【００３８】
ブロック１は、主として生体電気インピーダンス測定に関する制御・演算・データの入出力を行うためのブロックである。定数や装置の制御および演算用プログラムなどを記憶したＲＯＭ１１、測定データや演算結果および外部より読み込んだデータやプログラムを一時的に保持するＲＡＭ１２、装置の電源をオン／オフする電源スイッチ５や測定を開始するための測定スイッチ６からなるキー入力装置１３、装置の動作状態や測定結果を示す表示装置７、装置の各部分に電力を供給するする電源装置１４、それら各部を制御する制御部１５、各種の演算を行う演算装置１６、基準クロックを発生し演算装置１６に送る基準クロック発生回路１７を備える。
【００３９】
ブロック２は、主として測定部位の体積を測定する制御・演算を行うためのブロックである。測定部位を挿入し圧迫するためのカフ８、カフ８内の空気袋に送り込む空気（エア）が流れるエアチューブ２１、カフ８内に流入される空気量に基づき信号を出力するためのフローセンサ２２、フローセンサ２２からの出力信号からカフ８に送り込まれた空気量を算出する流量検出回路２３、空気を排出する急速排気弁２４、急速排気弁２４を制御する駆動回路２５、空気を流入する加圧ポンプ２６、加圧ポンプ２６を制御する駆動回路２７、エアチューブ２１内の気圧に基づき信号を出力する圧力センサ２８、圧力センサ２８からの出力信号からを空気量を算出する出力検出回路２９を備える。またカフ８の表面には交流電流印加電極Ａ，Ｂと電位測定電極Ｃ，Ｄが設けられている。詳しくは、カフ８の内部側面に各電極は配設されており、交流電流印加電極Ａ，Ｂがカフ８の両端部に配置され、その内側に電位測定電極Ｃ，Ｄが配置される。これら電極に接続された電極用コードと前記エアチューブ２１は、パイプ４内に収められている。また、駆動回路２５，２７および出力検出回路２９は演算装置１６に接続されている。
【００４０】
ブロック３は、主として生体電気インピーダンス測定のアナログ信号をデジタル信号に変換するブロックである。ＲＯＭ１１またはＲＡＭ１２に記憶された制御プログラムにより決められた周波数の交流信号を発生させる交流信号発生装置３１、この交流信号発生装置３１から出力される交流信号をＲＯＭ１１またはＲＡＭ１２に記憶された制御プログラムにより決められた実効値で被測定対象に流すための交流電流出力装置３２、被測定対象に流れる電流を検出し基準電流検出信号として出力する基準電流検出装置３３、この基準電流検出装置３３を通して交流電流出力装置３２より供給される交流信号を被測定対象に流すための出力端子である交流電流印加電極Ａ，Ｂ、基準電流検出装置３３の出力であるアナログ信号をデジタル信号に変換するＡ／Ｄ変換装置３４、被測定者における２箇所の電位信号を検出するための電位測定電極Ｃ，Ｄ、これら電位測定電極Ｃ−Ｄ間の電位信号の差分信号を出力する電位差検出装置３５、電位差検出装置３５の出力であるアナログ信号をデジタル信号に変換するＡ／Ｄ変換装置３６を備える。
【００４１】
次に本体脂肪測定装置の動作について説明する。
【００４２】
図５は体脂肪測定装置１の動作を示すフローチャートである。
【００４３】
体脂肪測定装置１の電源スイッチ６が押されると（ステップＳ１）、体脂肪測定装置１は駆動状態となる。ＲＡＭ１２に記憶されているデータは消去され、表示装置７には図６（ａ）に示すよう、カフ８内に測定部位を挿入するよう促す初期画面が表示される（ステップＳ２）。ここで被験者は指示に従い、測定部位をカフ８内に挿入する。
【００４４】
図７は、カフ８に測定部位である左腕の上腕を挿入している状態を示す図である。このように測定部位を測定器３内に貫通させ、その上腕の皮膚表面には、カフ表面に設けられた各電極Ａ，Ｂ，Ｃ，Ｄが接触することが出来るようにする。
【００４５】
ここで測定スイッチ７が押されると測定が開始される（ステップＳ３）。測定スイッチ７が押されるまでは、表示装置７に初期画面が表示され続ける。
【００４６】
測定状態では、まず測定部位の体積を測定する。急速排気弁２４を閉弁するよう駆動回路２５は制御する。これによりカフ８内は密封状態となり空気が漏れない状態になる（ステップＳ４）。この時、表示装置７には図６（ｂ）のように、測定部位の体積を測定中であることを示す表示がなされる。
【００４７】
次に加圧ポンプ２６を駆動するよう駆動回路２７は制御を行う（ステップＳ５）。この時、加圧ポンプ２６からの空気は、フローセンサ２２を介してカフ８内の空気袋に流入される。フローセンサ２２は空気の流入に応じて信号が発信され、流量検出回路２３はフローセンサ２２からの信号に基づいて流入された空気の量を算出する（ステップＳ６）。
【００４８】
更に、カフ８内の空気袋の圧力をチェックする。圧力センサ２８は空気袋の気圧に応じた信号を発信し、出力検出回路２９は圧力センサ２８からの信号に基づき空気袋内の圧力を検出する（ステップＳ７）。
【００４９】
ここで空気袋内の圧力が、一定気圧Ｐ以上であるかをチェックする（ステップＳ８）。ここで一定気圧Ｐ以上の場合には空気袋が充分に膨らみ、測定部位と密着していることを意味するものである。一方、一定気圧Ｐ未満の場合には、測定部位とカフは密着している状態とは言えず未だ隙間があるため、ステップＳ５に戻り加圧ポンプ２６による空気の流入が続けられる。尚、一定気圧Ｐは通常、１気圧以上で測定部位に過剰な負荷がかからない程度に設定される。
【００５０】
一定気圧Ｐ以上の場合には測定部位とカフ８が密着しているとし、加圧ポンプ２６による空気の流入を停止する（ステップＳ９）。
【００５１】
ここで流入された空気量を用いて、カフ８内に存在する測定部位の体積を算出する（ステップＳ１０）。これはステップＳ６で送りこまれた空気の体積をＶ１とし、外気圧をＰ１（一定値）、Ｓ７にて求めた空気袋内の気圧をＰ２とする。この時、ボイル・シャルルの法則より、カフ内部の体積（空気袋に入った空気の体積）Ｖ２を次の式にて求めることが出来る。
Ｖ２＝Ｐ１Ｖ１／Ｐ２
【００５２】
つまり、膨らんだ空気袋に入った空気の体積Ｖ２は、送りこまれた空気の体積（量）Ｖ１と、外気圧Ｐ１および設定されている空気袋内の気圧Ｐ２とから算出することができる。
【００５３】
ここで算出されるカフ内部体積Ｖ２は単純に空気量から算出される値である。実際にカフの体積を考えた場合、内部には空気袋が存在するため、それを含めた体積となるが、その空気袋が占める量は流入した空気量に比べ充分に小さな割合であるため、ここでは無視して考えるものとする。従って、この膨張したカフの体積をＶ２´とすると、Ｖ２´≒Ｖ２と置くことができる。
【００５４】
ここで、測定部位の体積＝カフ全体（測定部３の内部）の体積−流入された空気の体積と考えると、カフに挿入されている測定部位の体積Ｖ０は次のように求めることが出来る。
Ｖ０＝（ｒ２π×Ｌ）−Ｖ２´
【００５５】
ここで、カフ内部の半径ｒと電極間距離Ｌと、前記膨張したカフの体積Ｖ２´を用いることで測定部位の体積Ｖ０は算出される。
【００５６】
算出された測定部位の体積は表示装置７に表示され（ステップＳ１１）、この体積の値はＲＡＭ１２に記憶される（ステップＳ１２）。
【００５７】
次いで、生体電気インピーダンスの測定が行われる。この測定は、生体電気インピーダンスの測定を複数回行い、その平均値を算出して体脂肪率の算出に用いることとする。表示装置７には図６（ｃ）に示すようにインピーダンスの測定中であることを示す表示が行われる（ステップＳ１３）。
【００５８】
測定回数ｉの初期化を行う（ステップＳ１４）。
【００５９】
ＲＯＭ１３に予め記憶された測定制御パラメータを元に、交流信号発生装置３１に出力信号周波数を設定し、その出力信号が交流電流出力装置３２へ出力される。交流信号出力装置３２は電流値が設定可能な定電流出力回路で構成されており、測定制御パラメータを基に出力電流値が設定され、その交流電流出力は基準電流検出装置３３を介して交流電流印加電極Ａ，Ｂに印加される。
【００６０】
この時、被測定者の測定部位に流れる電流を基準電流検出装置３３により検出し、その出力のアナログ信号をＡ／Ｄ変換装置３４を用いて変換し、その結果をＲＡＭ１２に記憶する。
【００６１】
同時に、被測定者の測定部位に接触した電位測定電極Ｃ−Ｄ間の電位差を電位差検出装置３５により検出し、その出力のアナログ信号をＡ／Ｄ変換装置３６を用いてデジタル信号に変換する。
【００６２】
ここで演算装置１６は、交流電流印加電極Ａ−Ｂ間に入力された電流値と、電位測定電極Ｃ−Ｄ間で検出された電位差から生体電気インピーダンスを算出する（ステップＳ１５）。
【００６３】
測定が終わったら測定回数ｉを＋１し、ｉ＝ｉ＋１とする（ステップＳ１６）。
【００６４】
今回算出されたインピーダンス値が、適正範囲内であるかをチェックする（ステップＳ１７）。この正常範囲は、正常に生体のインピーダンスを測定した場合に得られる値から設定される範囲であり、一般的には２５０〜２５００Ωであれば生体を正しく測定できていると見なす。この範囲外の場合には、電極と生体との接触不良のようなエラーが考えられる。正常範囲内の場合には算出された生体電気インピーダンス値がＲＡＭ１２に記憶され（ステップＳ１８）、正常範囲外の場合には記憶しないことになる。
【００６５】
ここで今回までの測定回数ｉが、設定されている回数ｎを越えたかチェックする（ステップＳ１９）。未だｎ未満の場合には、ステップＳ１５に戻り、生体電気インピーダンスの測定を続ける。
【００６６】
ステップＳ１９において、今回の測定回数ｉが、規定の測定回数ｎを越えている場合には、生体電気インピーダンスの測定は終了となり、急速排気弁２４を開弁するよう駆動回路２５は制御を行う（ステップＳ２０）。
【００６７】
制御部１５は、ＲＡＭ１２に生体電気インピーダンス値の測定データが存在するかをチェックする。ここで少なくとも１つの測定データがあれば、その平均値を算出することが可能となる（ステップＳ２１）。
【００６８】
演算装置１６は、ＲＡＭ１２に記憶されている生体電気インピーダンス値の平均値を算出する。この平均インピーダンス値の算出は、生体電気インピーダンス値の合計値を記憶されているデータ数で除した単純平均値である（ステップＳ２２）。
【００６９】
次に平均インピーダンス値を用いて体脂肪率を算出する（ステップＳ２３）。
【００７０】
ここで体脂肪率の算出について説明する。
【００７１】
インピーダンスＺは長さに比例し断面積に反比例するので、
Ｚ＝ρＬ／Ａ
（Ｌ：長さ，Ａ：断面積、ρ：抵抗率）
とされる。従って、
ρ＝ＺＡ／Ｌ
【００７２】
ここで右辺にＬ／Ｌを掛けると、
ρ＝ＺＡＬ／Ｌ２
【００７３】
ここでＡＬは、断面積と長さの積であり、これはカフ８内に挿入されている測定部位の体積Ｖ０と近似できるので、この算出されたρは、
ρ＝ＺＶ０／Ｌ２
となり、生体電気インピーダンス値Ｚを用いて、抵抗率ρを算出することができる。
【００７４】
図８は、人体の抵抗率と体脂肪率（％ＦＡＴ）の一般的な関係を示すグラフである。このグラフからも解るように、抵抗率と体脂肪率はほぼ一次関数の関係があり、抵抗率が解れば体脂肪率を求めることができることを示している。例えばグラフに示すように抵抗率が７５０ohm・cmであれば、その体脂肪率は３０％と算出することができる。
【００７５】
つまり、抵抗率ρと体脂肪率％ＦＡＴは、
％ＦＡＴ＝ａρ＋ｂ
の関係があり、生体電気インピーダンスＺから算出される抵抗率ρを用いることで体脂肪率を算出することができる。
【００７６】
尚、上述したように、ここで算出される体脂肪率は脂肪の体積の比率（体積％ＦＡＴ）であるため、一般的に用いられる体脂肪率（重量％ＦＡＴ）に変換してもよい。
【００７７】
算出された体脂肪率の結果を図６（ｄ）に示すよう表示装置７に表示する（ステップＳ２４）。尚、ステップＳ２１において、ＲＡＭ１２内に測定データが存在しない場合には、平均値の算出も行えないことになり測定はエラーとなる。その時は、図６（ｅ）に示すように測定エラーを表示装置７に表示する（ステップＳ２５）。
【００７８】
全ての測定および表示が行われた後、電源１４はオフとなり終了となる（ステップＳ２６）。
【００７９】
以上、本発明の実施例を説明したが、測定する部位は腕に限らず、その部位が挿入可能な大きさのカフからなる測定部を構成すれば、脚や体幹部でも測定可能である。これにより本発明の装置では、片腕や片足の無い身障者でも測定が可能となる。あるいは人体に限らず、犬、猫といった生物であっても、その生物が挿入可能な構成とし、その種類に対応した回帰式を用いれば体脂肪率や筋肉量の算出は可能である。
【００８０】
また、ここではカフ内に設けられた空気袋に一定圧の空気を流入し、測定部位と密着させることで体積を測定する構成として説明したが、空気に限らず他の気体を用いてもよく、また、気体ではなく水のような液体であっても構成することは可能である。
【００８１】
尚、ここでは、生体電気インピーダンス測定から体脂肪率を算出する装置として説明したが、一般的に知られている生体電気インピーダンスから筋肉量、体水分量といった体組成を算出する装置と同様に、本発明の装置でも測定部位の筋肉量や体脂肪と筋肉の割合、体水分量といった体組成を算出することも可能である。
【図面の簡単な説明】
【００８２】
【図１】従来のＢＩＡモデル
【図２】脂肪組織と筋肉組織の混合モデル
【図３】本発明の実施例における体脂肪測定装置の外観図
【図４】本発明の実施例における体脂肪測定装置のブロック図
【図５】本発明の実施例における体脂肪測定装置のフローチャート
【図６】本発明の実施例における体脂肪測定装置の表示内容を示す図
【図７】本発明の実施例における体脂肪測定装置の測定状態を示す図
【図８】人体の抵抗率と体脂肪率の関係を示すグラフ
【符号の説明】
【００８３】
１  体脂肪測定装置
２  操作部
３  測定部
４  パイプ
５  電源スイッチ
６  測定スイッチ
７  表示装置
８  カフ
１１  ＲＯＭ
１２  ＲＡＭ
１３  キー入力装置
１４  電源装置
１５  制御部
１６  演算装置
１７  基準クロック発生回路
２１  エアチューブ
２２  フローセンサ
２３  流量検出回路
２４  急速排気弁
２５，２７  駆動回路
２６  加圧ポンプ
２８  圧力センサ
２９  出力検出回路
３１  交流信号発生装置
３２  交流電流出力装置
３３  電流検出装置
３４，３６  Ａ／Ｄ変換装置
３５  電位差検出装置
Ａ，Ｂ  交流電流印加電極
Ｃ，Ｄ  電位測定電極
【図１】
2005137654.tif 000003
【図２】
2005137654.tif 000004
【図３】
2005137654.tif 000005
【図４】
2005137654.tif 000006
【図５】
2005137654.tif 000007
【図６】
2005137654.tif 000008
【図７】
2005137654.tif 000009
【図８】
2005137654.tif 000010